【事件の表示】
　平成１０年特許願第１８６６４２号「光書込ヘッド及び露光装置」拒絶査定不服審判事件〔平成１２年　１月１８日出願公開、特開２０００−　１５８６３〕について、次のとおり審決する。
【結　論】
　本件審判の請求は、成り立たない。
【理　由】
第１　手続の経緯・本願発明の認定
　本願は平成１０年７月１日の出願であって、平成１５年１月１７日付けで拒絶の査定がされたため、これを不服として同年３月３１日付けで明細書についての手続補正がされたものである。当審においてこれを審理した結果、平成１７年７月１２日付けで拒絶の理由を通知したところ、請求人は同年９月２０日付けで意見書及び手続補正書を提出した。
　したがって、本願の請求項１に係る発明（以下「本願発明」という。）は、平成１７年９月２０日付け手続補正により補正された明細書の特許請求の範囲【請求項１】に記載された事項によって特定される次のとおりのものと認める。
「ライン状に配置された、１ライン分の露光を行うように１列に並べられた複数の発光素子からなる発光素子アレイと、
　それぞれ、所定数の画素データを保持、出力することができ、画素データが供給された際に、保持している画素データをシフトさせるとともに、供給された各々異なる画素データを取り込む前記発光素子アレイのうちの複数の発光素子群に対応した複数の画素データ保持出力手段と、
　所定の制御信号が入力されたときに、前記複数の画素データ保持出力手段から出力される各々異なる画素データに応じて、前記発光素子アレイのうちの複数の発光素子群を同一の信号により駆動し、前記複数の発光素子群内の複数の発光素子を、同時に駆動する発光素子アレイ駆動手段と
　を備えることを特徴とする光書込ヘッド。」
　
第２　当審の判断
１．引用刊行物の記載事項
　当審における拒絶の理由に引用した特開昭５８−４８５６２号公報（以下「引用例１」という。）には、以下のア〜クの記載が図示とともにある。なお、摘記に当たっては、拗音・促音等、小さな文字で表記することが通常である文字については、通常の表記に改める。
　ア．「ＬＥＤを複数個並べた構造のＬＥＤアレイを外部からの信号により駆動する際に、前記アレイ中のＬＥＤを複数のグループに分割し、その各々に駆動回路及びメモリを分配し、前記各グループのＬＥＤの駆動を並列に行なう事を特徴としたＬＥＤアレイ駆動方式。」（１頁左下欄５〜１０行）
　イ．「本発明は、光書き込み式の記録装置・・・などに使用するＬＥＤアレイの駆動方式に関する。」（１頁左下欄１２〜１３行）
　ウ．「第１図に時系列的な信号により、ＬＥＤを駆動する方式で、従来より考えられているものの内、Ｎ個のＬＥＤを同時に駆動する例を示す。メモリ、信号発生器、画読み取り装置などから時系列的に発生された信号は、シフトレジスタ１において、シフトクロックＳＣにより、順次シフトされ、Ｎクロック分の信号がシフトされたタイミングで、ラッチクロックＬＣにより、ラッチされる。ラッチされた信号により、ＬＥＤドライバ３が働き、ＬＥＤは各々の信号に従い、点灯又は消灯する。」（１頁左下欄１４行〜右下欄３行）
　エ．「この方式では、駆動したいＬＥＤの数の信号パルスを、順次一列に並べる為に、シフト時間によりＬＥＤ駆動の周期が制限される。特に、ＬＥＤの数が数千個以上になると、このシフト時間は相当長いものとなり、高速の処理を必要とする場合には問題となる。」（１頁右下欄８〜１３行）
　オ．「本発明の目的は、ＬＥＤアレイの駆動部を、複数のグループに分割し、・・・メモリをこのグループ毎に分配して各メモリを同時に読出し、駆動部に送り込む事により、信号を並べる時間を従来法のものをグループ数でわった値に短縮できる新規なＬＥＤアレイ駆動方式を提供する事にある。」（１頁右下欄１８行〜２頁左上欄４行）
　カ．「本発明の上記目的は、・・・ＬＥＤアレイにおいて、各素子を複数のグループに分割し、それに伴い駆動部も同様に分割して、各々に入力する信号及びタイミングクロックを独立に扱う事が可能な構成とし、メモリを用いる事により、各グループの駆動部に同時に信号を入力し、シフトクロック及びラッチクロックを調節する事により、各グループを同時に、またはグループ毎に任意の遅延をもたせて駆動できる駆動方式によって達成され、・・・駆動の為の処理時間を短縮する事を特徴とするものである。」（２頁左上欄５〜１６行）
　キ．「時系列的に並んだＮビットの信号を、Ｐｉビットずつ分割し、それぞれ独立に読み出す事が可能なメモリに記憶させる。但し、ｉは対応する駆動部の番号であり（ｉ＝１〜Ｍ）、・・・各グループの信号は独立に読み出され、シフトクロックＳＣｉでシフトされ、Ｐｉビット並んだ時点で、ラッチクロックＬＣｉでラッチされ、その信号列に従いＬＥＤドライバを駆動する。」（２頁右上欄２〜１１行）
　ク．「信号をシフトレジスタに並べる時間を、各グループ同じにする為には、ラッチクロックＬＣの周波数ｆＬＣｉは、すべてのグループで同一にする必要がある。」（２頁右上欄１６〜１９行）
　
２．引用例１記載の発明の認定
　第１図及び第２図からみて、ＬＥＤアレイを構成する複数個（以下、実施例に従いＮ個とする。）のＬＥＤは１列に並べられていることが明らかである。
　したがって、引用例１記載の「ＬＥＤアレイ」と「駆動部」を併せた装置は次のようなものと認めることができる。
「Ｎ個のＬＥＤを１列に並べ、光書き込み式の記録装置に使用するＬＥＤアレイと駆動部からなる装置であって、
　駆動部はＭ個に分割されており、ｉ番目（ｉ＝１〜Ｍ）の駆動部はＰｉビットのシフトレジスタ、ラッチ及びＬＥＤドライバから構成されており、
　ｉ番目（ｉ＝１〜Ｍ）のＬＥＤドライバがＮ個のＬＥＤのうちのＰｉ個と接続されることにより、Ｎ個のＬＥＤのすべてが何番目かのＬＥＤドライバと接続されるように構成されており、
　各シフトレジスタは、個別のメモリからデータ及びシフトクロックを入力できるように構成されている装置。」（以下「引用発明１」という。）
　
３．本願発明と引用発明１との一致点及び相違点の認定
　引用発明１の「ＬＥＤ」、「ＬＥＤアレイ」及び「Ｎ個のＬＥＤのうちのＰｉ個」は、本願発明の「発光素子」、「発光素子アレイ」及び「発光素子群」にそれぞれ相当し、ＬＥＤは１列に並んでいるから「ライン状に配置された」ということができ、光書き込み式の記録装置に使用する以上、ＬＥＤアレイが１ライン分の露光を行うものであることは自明である。
　引用発明１の「シフトレジスタ」及び「ラッチ」は、本願発明の「所定数の画素データを保持、出力することができ、画素データが供給された際に、保持している画素データをシフトさせる画素データ保持出力手段」に相当し、引用発明１ではこれらがＭ個、すなわち複数個あり、個別のメモリからデータが入力されるのだから、「供給された各々異なる画素データを取り込む前記発光素子アレイのうちの複数の発光素子群に対応した」ものといえる。
　そして、ＬＥＤアレイと駆動部からなる装置は、「光書込ヘッド」ということができる。
　したがって、本願発明と引用発明１とは、
「ライン状に配置された、１ライン分の露光を行うように１列に並べられた複数の発光素子からなる発光素子アレイと、
　それぞれ、所定数の画素データを保持、出力することができ、画素データが供給された際に、保持している画素データをシフトさせるとともに、供給された各々異なる画素データを取り込む前記発光素子アレイのうちの複数の発光素子群に対応した複数の画素データ保持出力手段とを備える光書込ヘッド。」である点で一致し、次の点で相違する。
〈相違点〉本願発明が「所定の制御信号が入力されたときに、前記複数の画素データ保持出力手段から出力される各々異なる画素データに応じて、前記発光素子アレイのうちの複数の発光素子群を同一の信号により駆動し、前記複数の発光素子群内の複数の発光素子を、同時に駆動する発光素子アレイ駆動手段」を有するのに対し、引用発明は同手段を有さず（但し、個々の発光素子群内の複数の発光素子については同時に駆動している。）、ラッチクロックでラッチされることによりＬＥＤドライバを駆動する点。
　
４．相違点についての判断及び本願発明の進歩性の判断
　以下本審決では、「発明を特定するための事項」という意味で「構成」との用語を用いることがある。
　当審における拒絶の理由に引用した特開平５−２６１９７０号公報（以下「引用例２」という。）には、
「図１は本発明に係るＬＥＤプリントヘッドの駆動回路の一実施例を示す概略構成図である。図において、１４は基板１５（図２参照）上に複数のＬＥＤ素子を千鳥状に配列したＬＥＤアレイチップ（以下単に千鳥配列ＬＥＤアレイと言う）であり、左から数えて奇数番目のＬＥＤ素子を奇数用ＬＥＤ素子１６とし、偶数番目のＬＥＤ素子を偶数用ＬＥＤ素子１７とする。１８はこの奇数用ＬＥＤ素子１６をそれぞれ駆動するため、シフトレジスタ回路９、ラッチ回路１０、アンド回路１１およびドライバ回路１２から構成した奇数用駆動回路チップ（以下、単に奇数用ドライバＩＣと言う）、１９はこの偶数用ＬＥＤ素子１７をそれぞれ駆動するため、シフトレジスタ回路９、ラッチ回路１０、アンド回路１１およびドライバ回路１２から構成した偶数用駆動回路チップ（以下、単に偶数用ドライバＩＣと言う）、２０はクロックが入力する端子、２１は印字データが入力する端子、２２はストローブが入力する端子、２３はその詳細な回路を図４に示すように、フリップフロップ回路２４、アンド回路２５Ａおよび２５Ｂから構成した奇偶データ振分け回路であり、出力端子２６Ａから、奇数側の印字データのタイミングクロック（以下、単に奇数側タイミングクロックと言う）が出力し、出力端子２６Ｂから偶数側の印字データのタイミングクロック（以下、単に偶数側タイミングクロックと言う）が出力する。２７および２８はＲＡＭで構成した奇数用データフレームメモリおよび偶数用データフレームメモリであり、そのデータ格納状態を図６に示す。」（段落【００１５】）及び
「奇数用データフレームメモリ２７および偶数用データフレームメモリ２８の第１アドレスから順に、格納されているデータを読み出され、奇数用の印字データは奇数用ドライバＩＣ１８のシフトレジスタ９に順次格納され、偶数用の印字データは偶数用ドライバＩＣ１９のシフトレジスタ９に順次格納される。そして、１ライン分の印字データが入力し終ると、各ラッチ回路１０でラッチされ、各アンド回路１１を介して各ドライバ回路１２を駆動する。このため、千鳥配列用アレイチップ１４の奇数用ＬＥＤ素子１６および偶数用ＬＥＤ素子１７はその印字データに応じて、かつストローブで指定された発光時間で発光または非発光する。・・・図７（Ｃ）の印字タイミング＃３で示すように、第１行の奇数列Ｒ１，Ｒ３，〜と第３行の偶数列Ｒ２，Ｒ４〜を同時に印字する。そして、図７（Ｄ）の印字タイミング＃４で示すように、第２行の奇数列Ｒ１，Ｒ３，〜と第４行の偶数列Ｒ２，Ｒ４〜を同時に印字する。」（段落【００２０】）
との各記載があり、【図１】には、奇数用ドライバＩＣ及び偶数用ドライバＩＣが複数存在し、ストローブ端子は単一であって、すべてのドライバＩＣに対し共通のストローブが入力される様子が図示されている。本願発明の「発光素子群」に相当するものを、個々のＬＥＤアレイチップの奇数番目又は偶数番目ＬＥＤ素子群と捉えようと、すべてのＬＥＤアレイチップの奇数番目又は偶数番目ＬＥＤ素子全体と捉えようと、引用例２記載の発明（以下「引用発明２」という。）では、発光素子全体が複数に分割され、複数の発光素子群に対して個別のドライバＩＣ（シフトレジスタ回路９、ラッチ回路１０、アンド回路１１及びドライバ回路１２から構成）が設けられている。
　引用例２の記載において、「奇数用ＬＥＤ素子１６および偶数用ＬＥＤ素子１７はその印字データに応じて、かつストローブで指定された発光時間で発光または非発光する。」ということは、ストローブが入力されたとき（本願発明でいう「所定の制御信号が入力されたとき」）に、複数のラッチ回路（これとシフトレジスタ回路を併せたものが本願発明の「画素データ保持出力手段」に相当する。）から出力される各々異なる画素データに応じて、複数の発光素子群を同一の信号により駆動し、複数の発光素子群内の複数の発光素子を同時に駆動するということである。すなわち、相違点に係る本願発明の構成である「発光素子アレイ駆動手段」は引用発明２が備えている。
　ところで、引用例１の記載カ，クにあるとおり、引用発明１においても、すべての発光素子群内の複数の発光素子を同時に駆動することが排除されているわけではなく、そのようにすることも十分示唆されている。
　そうであれば、引用発明１において、すべての発光素子群内の複数の発光素子を同時に駆動するに当たり、引用発明２を適用（具体的には、ラッチとドライバ間にアンド回路を設け、アンド回路の１つの入力をすべての発光素子群内の複数の発光素子に共通のストローブとする。）して相違点に係る本願発明の構成をなすことは当業者にとって想到容易といわざるを得ない。また、かかる構成を採用したことによる格別の作用効果を認めることもできない。
　したがって、本願発明は引用発明１及び引用発明２に基づいて当業者が容易に発明をすることができたものであるから、特許法２９条２項の規定により特許を受けることができない。
　
第３　むすび
　本願発明が特許を受けることができない以上、本願のその余の請求項に係る発明について検討するまでもなく、本願は拒絶を免れない。
　よって、結論のとおり審決する。